(57)【特許請求の範囲】
【請求項１】
ソール（２）およびアッパー（３）を備える靴（１）、特に、運動靴であって、
前記ソール（２）はベース領域（５）を有するソール部分（４）を含み、該ベース領域（５）から、前記靴（１）の使用目的で少なくとも１つの支持部分（６，６’，６’’）が上方に伸張し、前記アッパー（３）は、着用者の脚を受けるように前記ソール（２）に連結されるソックス状部（７）を含み、
前記少なくとも１つの支持部分（６，６’，６’’）は前記靴外側で前記ソックス状部（７）を覆い、前記支持部分（６，６’，６’’）の少なくとも一部上で前記支持部分（６，６’，６’’）と前記ソックス状部（７）との間に堅固な連結は存在せず、前記少なくとも１つの支持部分（６，６’，６’’）および前記ソックス状部（７）は両方共、前記靴の前記着用者の前記脚に対して前記支持部分（６，６’，６’’）および前記ソックス状部（７）両方の少なくともある一部を引張する引張要素（８）によって取り囲まれ、
前記引張要素（８）は、複数の開口部（９）を含む網状構造として設計され、締め紐（１１）は、前記靴（１）の前記着用者の前記脚で前記引張要素（８）を引張するために前記引張要素（８）の前記開口部（９）内のみに通され、
前記引張要素（８）は、前記靴（１）の底部側の周囲に及び、前記靴（１）の底部側におけるソックス状部（７）を取り囲み、
支持部分（６，６’’）は前記靴（１）の後側領域および／またはかかと領域に配置され、前記支持部分（６，６’’）は、前記靴（１）の全高（Ｈ）の少なくとも４０％の高さ（ｈ，ｈ’）に沿って伸張する
ことを特徴とする靴。
【請求項２】
前記引張要素（８）は、前記靴（１）の底部領域において前記ソール（２）と連結される
請求項１に記載の靴。
【請求項３】
前記引張要素（８）は、前記ソールの一部と、前記靴（１）の下端部を形成するアウターソール（１０）との間で固定される
請求項２に記載の靴。
【請求項４】
インソールは前記ソックス状部（７）の内側に配置される
請求項１ないし３のいずれかに記載の靴。
【請求項５】
中央領域に切り込み（１２）を含む単一の支持部分（６’’）は、前記靴（１）の前記かかと領域に配置される
請求項１ないし４に記載の靴。
【請求項６】
１つの支持部分（６’）は前記靴（１）の前側または中央領域に配置される
請求項１ないし５のいずれかに記載の靴。
【請求項７】
前記引張要素（８）は、場合によって前記かかと領域の場所を除いて、前記ソール（２）の前記底部領域においてのみ前記ソール（２）と連結され、かつ前記アッパー（３）の領域の周りを連結することなく該かかと領域の場所を除いて及ぶ
請求項１ないし６のいずれかに記載の靴。
【請求項８】
前記引張要素（８）は、前記脚を入れる領域において外周補強縁部（１３）を備え、前記補強縁部（１３）は平坦なプラスチックバンドによって形成される
請求項１ないし７のいずれかに記載の靴。
【発明の詳細な説明】
【技術分野】
【０００１】
本発明は、ソールおよびアッパーを備える靴、特に、運動靴であって、ソールはベース領域を有するソール部分を含み、このベース領域から、靴の使用目的で少なくとも１つの支持部分が上方に伸張し、アッパーは、着用者の脚を受けるようにソールに連結されるソックス状部を含み、少なくとも１つの支持部分は靴外側でソックス状部を覆い、支持部分の少なくとも一部上で支持部分とソックス状部との間に堅固な連結は存在せず、少なくとも１つの支持部分およびソックス状部は両方共、靴の着用者の脚に対して支持部分およびソックス状部両方の少なくともある一部を引張する引張要素によって取り囲まれる、靴に関する。
【背景技術】
【０００２】
この種の運動靴は周知である。ベースプレート構造のそばに、ソール部分は、上方に伸張し、着用者の脚を正しく保持するものとする一部を含むことが多い。
【０００３】
さらに、アッパーの領域において、靴の使用目的で着用者の脚を広く取り囲むソックス状部を用いることは既知である。
【０００４】
それによって、着用者の脚に最も良く接触させるように靴を設計することが、継続的懸念事項である。そのため、着用者の脚で靴の紐締め後の一様な張力を目的とする。
【０００５】
上述される種類の靴は、特許文献１から既知である。同様のおよび他の解決策は、特許文献２〜６に示されている。
【先行技術文献】
【特許文献】
【０００６】
【特許文献１】国際公開第２０１２／０１２３３２号パンフレット
【特許文献２】仏国特許出願公開第２９９９８８２号明細書
【特許文献３】仏国特許第１２２８２３９号明細書
【特許文献４】米国特許出願公開第２０１５／００８９８３９号明細書
【特許文献５】仏国特許出願公開第２８３５４０５号明細書
【特許文献６】米国特許出願公開第２００７／１８０７３０号明細書
【発明の概要】
【発明が解決しようとする課題】
【０００７】
本発明の目的は、一般的な種類の靴が、着用者の脚で紐締めされる時に着用者の脚における改善された接触を得ることができるように、該靴をさらに進展させることである。
【課題を解決するための手段】
【０００８】
本発明によるこの目的の解決策は、引張要素が、複数の開口部を含む網状構造として設計され、締め紐が、靴の着用者の脚で引張要素を引張するために引張要素の開口部内のみに通され、支持部分が靴の後側領域および／またはかかと領域に配置され、支持部分が、靴の全高の少なくとも４０％の高さに沿って伸張することを特徴とする。
【０００９】
引張要素は、それによって、靴の底部領域においてソールと連結可能であり、靴の底部側の周囲に及ぶことができる。そのため、好ましい実施形態によって、引張要素は、ソールの一部と、靴の下端部を形成するアウターソールとの間で固定される。それによって、ソール部分、引張要素、およびアウターソールの間の固定は、接着することによって生じさせることができる。
【００１０】
インソールは、ソックス状部の内側に配置可能である。
【００１１】
支持部分は、好ましくは、靴の全高の少なくとも５０％の高さに伸張する。
【００１２】
ここで、さらに、中央領域に切り込みを含む単一の支持部分が、靴のかかと領域に配置される。これによって、具体的に有益なやり方で、紐締め後、靴がかかと領域においても着用者の脚に最適に接触することが可能になる。
【００１３】
さらに、それぞれの１つの支持部分は、靴の前側または中央領域に配置できる。
【００１４】
引張要素は、それによって、場合によってかかと領域の場所を除いて、ソールの底部領域においてのみソールと連結可能であり、かつアッパーの領域の周りを連結することなく該かかと領域の場所を除いて及ぶことができる。
【００１５】
網状に設計された引張要素は、脚を入れる領域において外周補強縁部を含むことができ、これは、好ましくは、平坦なプラスチックバンドによって形成される。
【００１６】
よって、いずれの場合でも、本発明概念の本質的な特徴は、少なくとも本発明の好ましい実施形態に従って、（上記の説明ではソール部分と呼ばれる）中間ソールがソックス状中靴に連結されることなく、中央領域に沿って、特に、かかと領域および側部領域において設けられ、靴が網状構造によって外側で取り囲まれることである。網状構造の紐締めによってのみ、中間ソールはソックス状中靴に対して引っ張られる。これによって、靴の改善されたフィット性が可能になる。
【００１７】
そのため、網状構造はソール領域へと下に伸張でき、靴の底部側の周りで完全に伸張することもできる。
【００１８】
そのように、提案された概念において、少なくとも一部分が中間ソールに連結されない「ソックス」は、靴の内側領域およびアッパーそれぞれに与えられ、これは少なくとも側部領域に該当し、底部領域において連結できるようにする。
【００１９】
そして、「ネット」のみが、脚において中間ソールおよび「ソックス」を紐締めることによって引張する。
【００２０】
それによって、有益には、靴の紐締め後、靴は、着用者の脚に最適に接触し、かつ着用者の脚に対する非常に一定した圧力の分布が得られることになる。
【００２１】
さらに、このことが、費用効率の高いやり方で実現可能である比較的容易に製作できる手段で得られ得ることは有益である。
【００２２】
図面において、本発明の実施形態が示される。
【図面の簡単な説明】
【００２３】
【図１】運動靴として設計される本発明による靴の分解組立図
【図２】靴の、特にアッパーの一部分であるソックス状部の側面図
【図３】ここではソール部分に挿入されているソックス状部の側面図
【図４】ソックス状部、および網状構造として設計される引張要素を含む図３によるソール部分の側面図
【図５】完全な靴の側面図
【図６】完全な靴の上面図
【図７】本発明の同様の実施形態による後側から見た靴であって、かかとを支持するソール部分、および靴の他の構成要素が図示される靴の説明図
【発明を実施するための形態】
【００２４】
図１では、本発明による靴の一実施形態が分解組立図で示されている。靴１は、ソール２、およびソール２と連結されるアッパー３を含む。ソールはここでは、ソール部分４から成り、このソール部分４の下に、アウターソール１０が配置される。ソール部分４はさらにまた、脚接触エリアの形状に対応し、かつ、垂直方向上方に伸張する支持部分６および６’を有するベース領域５を有する。
【００２５】
アッパー３は、実質的に、靴の着用者の脚を受けるように設けられるソックス状部７と、網状構造の形態の引張要素８とから成る。
【００２６】
引張要素８は、複数の開口部９を有するネットとして設計されることによって設けられ、該開口部９を通して、締め紐１１を着用者の脚で靴１を紐締めするために通すことができる。
【００２７】
引張要素８は、それによって、ソックス状部７を、この外側を包囲するだけでなく、支持部分６，６’をこの外側で包囲し、かつ、着用者の脚で靴の紐締めで脚に対して該支持部分を引っ張るように設けられる。
【００２８】
それによって、支持部分６，６’が靴の外側でソックス状部７を覆うことが不可欠である。そのため、支持部分６，６’とソックス状部７との間に堅固な連結はもたらされない。また、支持部分６，６’のみならずソックス状部７は、引張要素８によって取り囲まれ、該引張要素８は、靴の着用者の脚で支持部分６，６’およびソックス状部７を引張する。
【００２９】
靴の設計は、さらなる図からまた見ることができる。
【００３０】
図２では、ソックス状部７を見ることができるが、この下に、ソール部分４が図３に従って配置される。図３では、支持部分６，６’がソール部分４のベース領域５からどのように上方に伸張するかを非常に良くまた見ることができ、これによって、靴が地上に立てられる時、それら一部分が実質的に垂直方向上方に伸張することを間違いなく理解できる。
【００３１】
図４では、図３による配置がここでは、どのように、外側から引張要素８によって取り囲まれるか、および、靴が着用者の脚で紐締められる時に引張可能であるかを見ることができる。この図では、引張要素が、靴に足を入れる領域に補強縁部１３と共に設けられ得ることも見ることができる。
【００３２】
この補強縁部１３は、ホイル状の薄いプラスチック要素として設計可能であり、これによってまた、確実に、引張要素８の網状構造がこの領域において縁どられ、かつ容易に擦り切れ得ないようにされる。
【００３３】
完成した靴が、図５（側面図）および図６（上面図）において示されている。ここで、再び、靴の後側領域における支持部分６の高さｈが、靴１の全高Ｈの少なくとも５０％に対応する値、好ましくはさらにそれより大幅に大きい値を有することを見ることができる。
【００３４】
図７では、靴を後側から、全ての部分ではないが見ることができ、すなわち、わずかに異なる実施形態において、上述されるようにソール部分４に形成される支持部分６’’は、かかと領域に設けられる。
【００３５】
支持部分６’’は、着用者の脚のかかとをシェル状に取り囲むが、中央面に配置される切り込み１２を有する。また、ここで、支持部分６’’の高さｈ’が指し示され、これに関して、支持部分６に対して上述されるのと同じことが当てはまる。
【００３６】
そのため、本発明の好ましい実施形態では、支持部分６は、靴のほぼ真ん中において靴の縦軸に沿って配置されるが、切り込み１２を有する支持部分６’’は、靴のかかと領域に配置される。
【符号の説明】
【００３７】
１  靴
２  ソール
３  アッパー
４  ソール部分
５  ベース領域
６  支持部分
６’  支持部分
６’’  支持部分
７  ソックス状部
８  引張要素（網状構造）
９  開口部
１０  アウターソール
１１  締め紐
１２  切り込み
１３  補強縁部
Ｈ  靴の全高
ｈ  支持部分の高さ
ｈ’  支持部分の高さ
【図１】
0006682626.tif 000002
【図２】
0006682626.tif 000003
【図３】
0006682626.tif 000004
【図４】
0006682626.tif 000005
【図５】
0006682626.tif 000006
【図６】
0006682626.tif 000007
【図７】
0006682626.tif 000008